(57)【要約】【課題】  簡略な構成において手間をかけることなく、扉や引き出しの前板等の背面や前面に物品を吊り下げ収納できるようにする。【解決手段】  前板１００の上縁部に沿って取り付けられ、前面側に一端部から他端部に連続する指かけ部１３を備える引き手１において、背面側に物品を係止する係止具３０の係止部１５を一体に備えるもの。【選択図】図２
2019080886.tif 000002
【特許請求の範囲】
【請求項１】
面体の上縁部に沿って取り付けられ、前面側に一端部から他端部に連続する指かけ部を備える引き手において、
背面側に物品を係止する係止具の係止部を一体に備えることを特徴とする引き手。
【請求項２】
前記係止部が一端側から他端側に連続する係止溝によって構成される請求項１記載の引き手。
【請求項３】
前記係止部が前記背面に面一に設けられてなることを特徴とする請求項１または２記載の引き手。
【請求項４】
面体の上縁部に沿って取り付けられ、前面側に一端部から他端部に連続する指かけ部を備えるとともに、背面側に物品を係止する係止具の係止部を一体に備える引き手と、
前記係止部に係止され前記面体の背面側に配置される係止具とからなる引き手の物品係止構造。
【請求項５】
面体の上縁部に沿って取り付けられ、前面側に一端部から他端部に連続する指かけ部を備えるとともに、背面側に物品を係止する係止具の係止部を一体に備える引き手と、
前記係止部に係止され前記面体の前面側に配置される係止具とからなる引き手の物品係止構造。
【発明の詳細な説明】
【技術分野】
【０００１】  この発明は、家具の扉や引き出しの前板等に使用される引き手に関する。
【背景技術】
【０００２】  例えば、台所流し台の扉はその背面に調理用器具等が吊り下げ収納されることで便利に使用される。従来においてそのように調理用器具を扉の背面に吊り下げ収納するには、扉の背面にフックを貼り付けやネジ固定により取り付け、これに調理用器具を係止することで行っていた。したがって、貼り付けやネジ固定等の装着構造を持つフックが必要であるとともに、その取り付け作業に手間がかかる問題があった。また、扉の前面にキッチンタオル等を吊り下げ収納する場合においても同様の問題があった。
【発明の概要】
【発明が解決しようとする課題】
【０００３】  この発明は上記の事情に鑑みて行ったもので、簡略な構成において手間をかけることなく、家具の扉や引き出しの前板等に物品を吊り下げ収納できるようにすることを目的とする。
【課題を解決するための手段】
【０００４】  請求項１の発明では、面体の上縁部に沿って取り付けられ、前面側に一端部から他端部に連続する指かけ部を備える引き手において、背面側に物品を係止する係止具の係止部を一体に備えることを特徴とする引き手を提供する。【０００５】  上記構成によれば、引き手の係止部に係止具が係止することができ、簡略な構成の係止具を係止することで、物品を面体に吊り下げ収納することができる。【０００６】  係止部が一端側から他端側に連続する係止溝によって構成されることで、その適宜の位置に複数個の係止具を係止できる。【０００７】  係止部が背面に面一に設けられてなる構成とすることで、係止具が背面からあまり突出することなく取り付けられ、かつ、ガタツクことなく安定した状態に係止される。【０００８】  この発明の引き手は適宜の材質であってよいが、金属や樹脂の押し出し成形型材によって好適に得られる。この発明の引き手は、各種家具の扉や引き出しの前板等の面体に好適に用いられる。【０００９】  また、請求項４の発明では、面体の上縁部に沿って取り付けられ、前面側に一端部から他端部に連続する指かけ部を備えるとともに、背面側に物品を係止する係止具の係止部を一体に備える引き手と、前記係止部に係止され前記面体の背面側に配置される係止具とからなる引き手の物品係止構造を、請求項５の発明では、面体の上縁部に沿って取り付けられ、前面側に一端部から他端部に連続する指かけ部を備えるとともに、背面側に物品を係止する係止具の係止部を一体に備える引き手と、前記係止部に係止され前記面体の前面側に配置される係止具とからなる引き手の物品係止構造をそれぞれ提供する。【００１０】  上記それぞれの発明によれば、請求項１の発明の引き手が使用されて、面体の背面において、面体の前面において、物品の吊り下げ収納が容易になされる。
【発明の効果】
【００１１】  この発明によれば、簡略な構成において手間をかけることなく、家具の扉や引き出しの前板等に各種物品を吊り下げ収納できるようになる。
【図面の簡単な説明】
【００１２】
【図１】  この発明の引き手の実施形態の背面側外観斜視図
【図２】  この発明の引き手の実施形態の使用状態斜視図
【図３】  この発明の引き手の実施形態の使用状態断面図
【図４】  この発明の引き手の異なる実施形態の使用状態断面図
【図５】  この発明の引き手の異なる実施形態で使用されるタオル掛け具の斜視図
【発明の実施形態】
【００１３】  図１はこの発明の引き手の背面側外観斜視図、図２は同使用状態斜視図、図３は同使用状態断面図である。
【００１４】  引き手１はアルミの押し出し成形型材よりなり、その断面形状は、上面部３と、上面部３の後端から前方に傾斜しながら下方に延び出す背面部５と、背面部５の下端から後方に延び出す折れ曲がり部７と、折れ曲がり部７の後端から上方に延び出す壁部９と、折れ曲がり部７の後端から下方に延び出す取り付け面部１１とから構成されている。上面部３の前縁には連続して指かけ部１３が下方に突出して設けられ、背面部５と壁部９との隙間が係止溝１５とされ、取り付け面部１１には４個の取り付け穴１７が設けられている。また、上面部３と指かけ部１３との内側角部、上面部３と背面部５との内側角部、係止溝１５の奥部、さらに、取り付け面部１１の前面側には連結用凹部１９のそれぞれが設けられている。
【００１５】  以下、引き手１の流し台２００の扉（面体）１００への取り付け構成を説明する。折れ曲り部７の下面を扉１００の上縁に、取り付け面部１１の前面を扉１００の背面にそれぞれ当接する状態において、固定ネジ２１を取り付け穴１７を通して扉１００面に螺入して取り付けを行う。
【００１６】  ２０は樹脂キャップで引き手１の断面形態に近い形態を備え、内面側の４か所に上記連結用凹部１９に対応する連結用凸部２２を備え、それら連結用凸部２２が連結用凹部１９のそれぞれに嵌合連結されて引き手１の端面に取り付けられる。この樹脂製キャップ２０により引き手１の端面が覆われることで見栄えが良くなるとともに、また金属製の引き手１の端面に手が触れないことで安全性が高められる。
【００１７】  上記のように取り付けられた引き手１の係止溝１５に係止端３１が係止されることでフック（係止具）３０が取り付けられ、そのフック３０に調理用具やカップ等が吊り下げ収納される。その際、係止溝１５が一端側から他端側に連続して位置することで適宜の位置に複数個のフック３０が取り付け使用される。引き手１の端部に取り付けられたフック３０は樹脂キャップ２０があることで外方に外れることが防止される。
【００１８】  上記における引き手１へのフック３０の取り付けは、フック３０の下部前面３０ａが取り付け面部１１の外面１１ａに沿う状態となってガタツキが起こらないように行われ、フック３０が安定して取り付けられるようになっている。これは、引き手１の背面部５が上面部３の後端から前方に傾斜して延び出す構成したことにより係止溝１５の下端が前方に位置し、これにより壁部９の外面と取り付け面部１１の外面１１ａが垂直方向に連続した構成とされたことによって可能とされている。また、上記のように係止溝１５よりなる係止構造が後方に突出することなく設けられたことで、フック３０が後方に突出することなく取り付けられ、これにより扉１００が流し台２００の戸当たり２０１から突出することなく所定位置に納まる。
【００１９】  図４、図５を用いて他の実施形態について説明する。この実施形態では係止具として樹脂製のタオルかけ具４０を用いている。タオルかけ具４０はその上部か引き手１の上部の所定位置に嵌設され、背面下部の係止端４１が係止溝１５に係止されることで取り付けられている。前側の水平部４２が扉１００の上部に位置し、そのタオルかけ孔４３にタオルがかけられて使用される。
【符号の説明】
【００２０】１      引き手
１３    指かけ部
１５    係止溝（係止部）
３０    フック（係止具）
１００  扉    （面体）
【図１】
2019080886.tif 000003
【図２】
2019080886.tif 000004
【図３】
2019080886.tif 000005
【図４】
2019080886.tif 000006
【図５】
2019080886.tif 000007